(57)【要約】【課題】駆動部による振動を緩衝し、ファンケースの構造を強化した半導体デバイス冷却用ファンモジュール。【解決手段】  ファンモジュール３は、ファン３１、ファンケース３１１、ファンケース３１１内に位置するハブ部３１２ａ、ハブ部３１２ａ周囲に設けられる羽根３１２ｂと、ハブ部３１２ａ内に設けられる駆動部３１３とからなる。ファンケース３１１の外側表面３１１ｄに凹陥部３１１ｅを設けて、該凹陥部に接続部材３１１ｆが埋設する。ファンケース３１１を取付孔３１１ｃを貫通するネジにより固定して設置するとき、接続部材３１１ｆが隣接する他のファンケースや取付け箇所に接して駆動部からの振動を吸収することにより、防振効果を発揮する。【選択図】  図４
2006266162.tif 000002
【特許請求の範囲】
【請求項１】
搭載装置上に設置される冷却用ファンモジュールであって、
前記ファンモジュールは、少なくとも一つ以上のファンを含み、
前記ファンは、ファンケースと、前記ファンケース内に位置するハブ部と、前記ハブ部周囲に設けられている羽根と、前記ハブ部内に設けられている駆動部とを含み、
前記ファンケースの外表面には少なくとも一つ以上の凹陥部が形成されており、前記凹陥部上に接続部材が設けられて前記ファンケースを前記搭載装置上に設置するとき、該接続部材を介して前記ファンケース同士、及び前記搭載装置に対して緊密に接して設置することにより、駆動部がハブ部および羽根を回転させるときに発生する振動を吸収して緩衝できることを特徴とするファンモジュール。
【請求項２】
前記接続部材は、少なくともケース体および防振部材を含むことを特徴とする請求項１記載のファンモジュール。
【請求項３】
前記接続部材は単一体であることを特徴とする請求項１または２記載のファンモジュール。
【請求項４】
前記接続部材は、ケース体と、防振部材とからなることを特徴とする請求項１または２記載のファンモジュール。
【請求項５】
前記ケース体は、金属材料からなることを特徴とする請求項２記載のファンモジュール。
【請求項６】
前記ケース体は、プラスチック材料からなることを特徴とする請求項２記載のファンモジュール。
【請求項７】
前記凹陥部は、ファンケースの外表面に設けられた凹状の空間であることを特徴とする請求項１記載のファンモジュール。
【請求項８】
前記凹陥部は、ファンケースの外表面の内側に向かって切削された収容空間であることを特徴とする請求項１記載のファンモジュール。
【発明の詳細な説明】
【技術分野】
【０００１】
本発明はファンモジュールに関し、特に一つ以上のファンが搭載装置上に設置されており、ファンのファンケース上に駆動部がハブ部および羽根を回転させるときに発生する振動を緩衝できる接続部材が設置されているファンモジュールに関する。
【背景技術】
【０００２】
図１、２は従来技術による半導体デバイス冷却用ファンモジュール１を示し、ファン１１は、ファンケース１１１と、ハブ部１１２ａと、羽根１１２ｂと、駆動部１１３とを含み、ファンケース１１１の吸気口１１１ａ付近には排気口１１１ｂ付近まで貫通された取付孔１１１ｃが設けられており、ファンケース１１１内にはハブ部１１２ａが設けられており、ハブ部１１２ａの外周には複数の羽根１１２ｂが設けられており、ハブ部１１２ａ内には駆動部１１３が設けられており、駆動部１１３はモータとすることができ、駆動部１１３がハブ部１１２ａおよびハブ部１１２ａ外周に設けられている羽根１１２ｂを回転させることによって気流を生成し、その風圧を利用することによって放熱効果を達成する。
【０００３】
図３は従来技術によるファンモジュール１を搭載装置２上に設置した状態を示す斜視図であり、搭載装置２上には固定板２１が設けられており、固定板２１上には取付孔１１１ｃに対応するねじ穴２１１が設けられており、螺合部材２１１ａがファンケース１１１の取付孔１１１ｃを貫通して固定版２１のねじ穴２１１に螺合されることによって、ファンモジュール１が搭載装置２上に固定されている。
【０００４】
上述の従来技術によるファンモジュール１には下記の欠点が存在する。
（１）従来技術によるファンモジュール１の駆動部１１３が運転するとき振動が発生し、この振動がファン１１の正常な運転に影響を及ぼす。
（２）従来技術によるファンモジュール１の駆動部１１３を運転するときに発生する振動が騒音を生成する。
【０００５】
本発明の発明者は上述の従来技術によるファンモジュール1の欠点に鑑み、研究、改良を重ね、ついに本発明を完成させた。
【特許文献１】特開２００５−２６４９３号公報
【発明の開示】
【発明が解決しようとする課題】
【０００６】
本発明の第１の目的は、ファンケースの外表面に接続部材を設けることができるファンモジュールを提供することである。
本発明の第２の目的は、駆動部がハブ部および羽根を回転させるときに発生する振動を緩衝できるファンモジュールを提供することである。
本発明の第３の目的は、搭載装置上に緊密に設置できるファンモジュールを提供することである。
本発明の第４の目的は、ファンケースの構造を強化できるファンモジュールを提供することである。
【課題を解決するための手段】
【０００７】
前記課題を解決するため、本発明は、搭載装置上に設置されるファンモジュールであって、ファンモジュールは、少なくとも一つ以上のファンを含み、ファンはファンケースとファンケース内に位置するハブ部と、ハブ部周囲に設けられている羽根と、ハブ部内に設けられている駆動部とを含み、ファンケースの外側表面には少なくとも一つ以上の凹陥部が形成されており、凹陥部上には少なくとも一つ以上の接続部材が埋設されており、ファンケースを搭載装置上に設置するとき、ファンケースの該接続部材を介してファンケース同士及び搭載装置に密接に接して設置することができ、駆動部がハブ部および羽根を回転させるときに発生する振動を吸収し、緩衝することができる。
【発明の効果】
【０００８】
凹陥部を利用し、従来技術によるファンケースと大きさが同じファンケースの外表面に振動を緩衝できる接続部材を設置することによって、ファンケースの構造を強化でき、駆動部がハブ部および羽根を回転させるときに発生する振動を吸収して緩衝でき、確実に防振、防音機能を向上させた。
【発明を実施するための最良の形態】
【０００９】
本発明の目的、構造および機能上の特性を図を参照して説明を行う。
【００１０】
図４、５は、本発明の第１実施形態を示し、ファンモジュール３は、少なくとも一つ以上のファン３１を含み、ファン３１はファンケース３１１と、ファンケース３１１内に設けられているハブ部３１２ａと、ハブ部３１２ａ周囲に設けられている羽根３１２ｂと、ハブ部３１２ａ内に設けられている駆動部３１３とを含み、駆動部３１３はモータとすることができ、ファンケース３１１の吸気口３１１ａ周辺には排気口３１１ｂ付近まで貫通された取付孔３１１ｃが設けられており、ファンケース３１１の外側表面３１１ｄには少なくとも一つ以上の凹陥部３１１ｅが設けられており、本実施形態においては凹陥部３１１ｅはファンケース３１１の外表面３１１ｄに形成されている凹状の空間であり、凹陥部３１１ｅ上には少なくとも一つ以上の接続部材３１１ｆが埋設、或は嵌合して設けられており、接続部材３１１ｆには金属材料またはプラスチック材料からなるケース体３１１ｇおよび緩衝機能を備える防振部材３１１ｈが設けられており、接続部材３１１ｆは単一体とすることも、または単体のケース体３１１ｇと単体の防振部材３１１ｈとを組合わせたものとすることもできる。
【００１１】
図６は、本実施形態による放熱モジュール３を搭載装置４上に設置した状態を示す斜視図であり、搭載装置４上には固定板４１が設けられており、固定板４１上にはファンケース３１１の取付孔３１１ｃに対応するねじ穴４１１が設けられており、螺合部材４１１ａがファンケース３１１の取付孔３１１ｃを貫通して固定版４１のねじ穴４１１に螺合されることによって、ファンモジュール３が搭載装置４上に固定される。
【００１２】
ファンケース３１１を搭載装置４上に設置するとき、ファンケース３１１の接続部材３１１ｆによってファンケース３１１を緊密に搭載装置４上に設置することができ、ファンケース３１１の構造を強化でき、駆動部３１３がハブ部３１２ａおよび羽根３１２ｂを回転させるときに発生する振動を緩衝できる。
【００１３】
図７、８、９は、本発明の第２実施形態を示し、ファンモジュール５は、少なくとも一つ以上のファン５１を含み、ファン５１は、少なくとも、ファンケース５１１と、ファンケース５１１内に設けられているハブ部５１２ａと、ハブ部５１２ａ周囲に設けられている羽根５１２ｂと、ハブ部５１２ａ内に設けられている駆動部５１３とを含み、駆動部５１３はモータとすることができ、ファンケース５１１の吸気口５１１ａ付近には排気口５１１ｂ付近まで貫通された取付孔５１１ｃが設けられており、ファンケース５１１の外側表面５１１ｄには少なくとも一つ以上の凹陥部５１１ｅが形成されており、本実施形態においては凹陥部５１１ｅはファンケース５１１の外表面５１１ｄ内側に切削された収容空間であり、凹陥部５１１ｅ上には少なくとも一つ以上の緩衝機能を備える接続部材５１１ｆが設けられており、接続部材５１１ｆには金属材料またはプラスチック材料からなるケース体５１１ｇおよび防振部材５１１ｈが設けられており、接続部材５１１ｆは単一体とすることも、単体のケース体５１１ｇと単体防振部材５１１ｈとを組合わせたものとすることもできる。
【００１４】
図１０は、本実施形態による放熱モジュール５を搭載装置４上に設置した様子を示す斜視図であり、搭載装置４上には固定板４１が設けられており、固定板４１上には取付孔５１１ｃに対応するねじ穴４１１が設けられており、螺合部材４１１ａがファンケース５１１の取付孔５１１ｃを貫通して固定版４１のねじ穴４１１に螺合されることによって、ファンモジュール５が搭載装置４上に固定されている。
【００１５】
ファンケース５１１を搭載装置４上に設置するとき、ファンケース５１１の接続部材５１１ｆによってファンケース５１１を緊密に搭載装置４上に設置することができ、ファンケース５１１の構造を強化でき、駆動部５１３がハブ部５１２ａおよび羽根５１２ｂを回転させるときに発生する振動を緩衝できる。
【００１６】
図１１は図３の正面図であり、図１２は図６の正面図であり、図１３は図１０の正面図である。本実施形態および従来技術によるファンモジュール１は大きさが同じ搭載装置２、４上に設置されているが、本実施形態は凹陥部３１１ｅ、５１１ｅを利用し、従来技術によるファンケース１１１と大きさが同じファンケース３１１、５１１の外表面に振動を緩衝できる接続部材３１１ｆ、５１１ｆを設置することによって、ファンケース３１１、５１１の構造を強化でき、駆動部３１３、５１３がハブ部３１２ａ、５１２ａおよび羽根３１２ｂ、５１２ｂを回転させるときに発生する振動を緩衝でき、確実に機能を向上させた。
【００１７】
上述の説明は、本発明の実施形態を示したものであり、本実施形態の方法、形状、構造および装置利用した変更はすべて本発明の権利範囲に含まれる。
【図面の簡単な説明】
【００１８】
【図１】従来技術によるファンモジュールを示す立体分解図である。
【図２】従来技術によるファンモジュールの組立後の様子を示す斜視図である。
【図３】従来技術によるファンモジュールを搭載装置上に設置した様子を示す            斜視図である。
【図４】本発明の第１実施形態によるファンモジュールを示す立体分解図である。
【図５】本発明の第１実施形態によるファンモジュールの組立後の様子を示す            斜視図である。
【図６】本発明の第１実施形態によるファンモジュールを搭載装置上に設置し            た様子を示す斜視図である。
【図７】本発明の第２実施形態によるファンモジュールを示す立体分解図である            。
【図８】本発明の第２実施形態によるファンモジュールの組立後の様子を示す            斜視図である。
【図９】図８の正面図である。
【図１０】本発明の第２実施形態によるファンモジュールを搭載装置上に設置            した様子を示す斜視図である。
【図１１】図３の正面図である。
【図１２】図６の正面図である。
【図１３】図１０の正面図である。
【符号の説明】
【００１９】
３、５  ファンモジュール
３１、５１  ファン
３１１、５１１  ファンケース
３１１ａ、５１１ａ  吸気口
３１１ｂ、５１１ｂ  排気口
３１１ｃ、５１１ｃ  取付孔
３１１ｄ、５１１ｄ  外表面
３１１ｅ、５１１ｅ  凹陥部
３１１ｆ、５１１ｆ  接合部材
３１１ｇ、５１１ｇ  ケース体
３１１ｈ、５１１ｈ  防振部材
３１２ａ、５１２ａ  ハブ部
３１２ｂ、５１２ｂ  羽根
３１３、５１３  駆動部
４  搭載装置
４１  固定板
４１１  ねじ穴
４１１ａ  螺合部材
【図１】
2006266162.tif 000003
【図２】
2006266162.tif 000004
【図３】
2006266162.tif 000005
【図４】
2006266162.tif 000006
【図５】
2006266162.tif 000007
【図６】
2006266162.tif 000008
【図７】
2006266162.tif 000009
【図８】
2006266162.tif 000010
【図９】
2006266162.tif 000011
【図１０】
2006266162.tif 000012
【図１１】
2006266162.tif 000013
【図１２】
2006266162.tif 000014
【図１３】
2006266162.tif 000015